(57)【要約】【課題】異なるブラッシング素材を結合させた浴用ボールを提供する。【解決手段】ベース部１１及び結合部１３、１５を有し、該ベース部１１は第一の軸方向１９を有し、各該結合部１３、１５は該ベース部１１において第一の軸方向１９を同軸としていて、且つそれら結合部１３、１５と該ベース部１１とが相互に結合した後の全体の外形は球体を呈する。 【選択図】図１
0003118285.tif 000002
【実用新案登録請求の範囲】
【請求項１】
ベース部と、少なくとも一つの結合部とを備え、
該ベース部は、第一の軸方向を有し、
各該結合部は、第一の軸方向において同軸の方式で該ベース部に設けられ、且つ該結合部と該ベース部とが相互に結合した後の全体外形は球体を呈することを特徴とする浴用ボール。
【請求項２】
該結合部は同心円状に相互に覆いかぶさった様子を呈しており、ベース部と相互に結合することを特徴とする請求項１に記載の浴用ボール。
【請求項３】
該結合部の二つの端は対称的にそれぞれ該ベース部の二つの側で露出することを特徴とする請求項１に記載の浴用ボール。
【請求項４】
少なくとも一つの該結合部の材質は該ベース部と異なることを特徴とする請求項１に記載の浴用ボール。
【請求項５】
少なくとも一つの該結合部は皺の寄ったネット体であることを特徴とする請求項１に記載の浴用ボール。
【請求項６】
該ベース部は平滑なネット体であることを特徴とする請求項１に記載の浴用ボール。
【請求項７】
該ベース部及び各結合部はそれぞれ異なる色の材料を有して組成されることを特徴とする請求項１に記載の浴用ボール。
【請求項８】
該ベース部或いは各該結合部は、編み込まれたネット材質により組成されることを特徴とする請求項１に記載の浴用ボール。
【考案の詳細な説明】
【技術分野】
【０００１】
本考案は浴用ボールと関連があり、特に異なる材質或いは色を有する浴用ボールを指す。
【背景技術】
【０００２】
一般的な浴用ボールの構造は、アメリカ合衆国の告示する第５１４４７４４号特許案の中で述べられている如く、主にひとつのパイプ状を呈したネット体により組成され、ネット体を軸方向に沿って引き伸ばして束ねた後に、浴用ボール全体の構造が膨らんだボール状を呈し、この浴用ボールは必要な量の入浴乳液或いは液体石鹸を垂らした際、浴用ボールをもみしだくことにより、入浴乳液或いは液体石鹸が清潔な泡をつくりだし、使用者は浴用ボールを用いて皮膚をこすることができ、清潔な泡を皮膚表面に塗りつつ、同時に身体を清潔にすることができる。
【０００３】
しかしながら、上述の浴用ボールのネット体は単一のブラッシング素材により組成されているため、浴用ボールは僅かに単一の粗さを備えるに過ぎず、使用者の身体の異なる清潔にしたい部位或いは清潔にしたい需要に対し、必ず異なる粗さの浴用ボールを用意し身体を洗わなければならず、この際もうひとつのブラッシング素材により組成された浴用ボールを使用しなければならず、使用上の不便と困惑をもたらしていた。
【考案の開示】
【考案が解決しようとする課題】
【０００４】
従って、本考案の主要な目的は、浴用ボールを提供することにあり、それは異なるブラッシング素材を結合させることで、各種の異なる使用需要に応ずることができ、使用上の困惑及び不便を減少させるものである。
本考案のもうひとつの目的は、浴用ボールを提供することにあり、それは異なる色のブラッシング素材より組成されており、浴用ボール全体の美観を増加させるものである。
【課題を解決するための手段】
【０００５】
前掲の目的を達成するため、本考案の提供する浴用ボールはベース部及び結合部を有している。該ベース部は第一の軸方向を有し、各該結合部は該ベース部において第一の軸方向を同軸としていて、且つそれら結合部と該ベース部とが相互に結合した後の全体の外形は球体を呈する。従って、本考案は各結合部の構造を用いることで、浴用ボールに異なる材質或いは色を与えることができる。
【考案を実施するための最良の形態】
【０００６】
以下、ここに図式を組み合せてふたつの比較的優れた実施例を挙げ、以って本考案の構造と効果に対して詳細な説明に用い、そのうち各図式の簡要な説明は以下の如くとなっている。
図１は、本考案の第一実施例による浴用ボールの正面図である。
図２は、本考案の第一実施例による浴用ボールの側面図である。
図３は、本考案の第二実施例による浴用ボールの側面図である。
【０００７】
図１に示すのは本考案の第一実施例の浴用ボール１０であり、ベース部１１、第一の結合部１３、及び第二の結合部１５を有す。そのうち、該ベース部１１はパイプ状を呈した平滑なネット体により組成され、ベース部１１は第一の軸方向１９を有し、ベース部１１は束ねる部品（図中未表示）により、第一の軸方向を軸中心として束ねられ、ベース部１１の径は載面に向って概ね円形を呈している。
【０００８】
該第一の結合部１３はパイプ状を呈した皺の寄ったネット体により組成され、第一の結合部１３の網目はベース部１１の網目より大きく、第一の結合部１３はベース部１１中央においてベース部１１の第一の軸方向１９を同軸としていて、ふたつの端は対称的にベース部１１の相対するふたつの側に露出している。
該第二の結合部１５はパイプ状を呈したネット体により組成され、第二の結合部１５の網目は第一の結合部１３の網目より大きく、第二の結合部１５は第一の結合部１３中央においてベース部１１の第一の軸方向１９を同軸としていて、且つ第二の結合部１５のふたつの端は対称的に第一の結合部１３の相対するふたつの外側に露出している。これにより、図１に示す如く、浴用ボール１０は層状構造となり、また図２に示す如く、ベース部１１、第一の結合部１３、及び第二の結合部１５が相互に結合したあとのふたつの側はいずれも同心円状に相互に覆いかぶさった様子を呈している。
【０００９】
上述の構造により、使用者が第一実施例の浴用ボールを使用し身体を清潔にする場合、異なる清潔にしたい部位に対応するベース部１１、第一の結合部１３、或いは第二の結合部１５を選択し体を清潔にすることができる。もし顔部など皮膚が敏感な際は、比較的小さな網目を有するベース部１１を利用し清潔にすることができ、もし手足など面積の大きな皮膚を清潔にしたい場合、或いは皮膚が比較的汚れていたり、比較的さほど敏感でない部位の場合、第一の結合部１３或いは第二の結合部１５を利用し清潔にすることができる。また、第一の結合部１３、第二の結合部１５、及びベース部１１は相互に一体となり結合した構造を利用することにより、浴用ボール１０と清潔にしたい部位が相互に接触した際、浴用ボール１０は同時に異なる材質、異なる弾性、及び異なる粗さの表面によりブラッシングと清潔にすることを行うことができ、一度に使用者が清潔にしたい程度が異なる部位を清潔にすることができるため、部分的に身体の皮膚が比較的汚れていたり、部分的に皮膚が比較的乾燥している際は、同時に柔らかな材質と硬い材質を有する浴用ボール１０を利用することで、全体的に整った且つ比較的優れた洗浄及び清潔にする効果が提供される。
【００１０】
このほか、本考案の第二実施例においてベース部１１、第一の結合部１３、及び第二の結合部１５は編み込まれたネット或いはそれぞれ異なる色により組成されてもよく、三者が相互に結合した後の浴用ボール外観は比較的鮮やかな変化を有することとなり、図３に示した如く、本考案の第二実施例の提供する浴用ボール２０においては、浴用ボール２０はベース部２１、及びベース部において同軸に設けられた結合部２３を有し、同様に本考案の創作目的に到達することができる。
これにより、本考案は異なる材質或いは色の各結合部を有することができ、各種の異なる使用需要に応えることができ、使用上の困惑及び不便を減少させることができる。
【図面の簡単な説明】
【００１１】
【図１】本考案の第一実施例の浴用ボールの正面図である。
【図２】本考案の第一実施例の浴用ボールの側面図である。
【図３】本考案の第二実施例の浴用ボールの側面図である。
【符号の説明】
【００１２】
１０  浴用ボール、１１  ベース部、１３  第一の結合部、１５  第二の結合部、１９  第一の軸方向、２０  浴用ボール、２１  ベース部、２３  第一の結合部
【図１】
0003118285.tif 000003
【図２】
0003118285.tif 000004
【図３】
0003118285.tif 000005